(57)【要約】【課題】コンテンツに応じた適切な視聴環境下でコンテンツを再生する技術を提供すること。【解決手段】情報再生装置は、コンテンツデータを取得する取得手段と、前記コンテンツデータを解析し、解析結果に基づき視聴環境制御情報を生成する解析手段と、前記視聴環境制御情報に基づき視聴環境を制御する視聴制御手段と、前記視聴環境下で前記コンテンツデータの再生を制御する再生制御手段とを備える。【選択図】      図１
2009111499.tif 000002
【特許請求の範囲】
【請求項１】
コンテンツデータを取得する取得手段と、
前記コンテンツデータを解析し、解析結果に基づき視聴環境制御情報を生成する解析手段と、
前記視聴環境制御情報に基づき視聴環境を制御する視聴制御手段と、
前記視聴環境下で前記コンテンツデータの再生を制御する再生制御手段と、
を備えた情報再生装置。
【請求項２】
前記解析手段は、前記コンテンツデータに含まれた映像データを解析し、解析結果に基づき視聴環境制御情報を生成し、
前記視聴制御手段は、前記視聴環境制御情報に基づき前記コンテンツの表示出力及び音声出力のうちの少なくとも一方を制御することを特徴とする請求項１に記載の情報再生装置。
【請求項３】
前記解析手段は、前記コンテンツデータに含まれた映像データを解析し、解析結果に基づき視聴環境制御情報を生成し、
前記視聴制御手段は、前記視聴環境制御情報に基づき無線通信により視聴環境機器を制御することを特徴とする請求項１に記載の情報再生装置。
【請求項４】
前記解析手段は、前記コンテンツデータに含まれた音声データを解析し、解析結果に基づき視聴環境制御情報を生成し、
前記視聴制御手段は、前記視聴環境制御情報に基づき前記コンテンツの表示出力及び音声出力のうちの少なくとも一方を制御することを特徴とする請求項１に記載の情報再生装置。
【請求項５】
前記解析手段は、前記コンテンツデータに含まれた音声データを解析し、解析結果に基づき視聴環境制御情報を生成し、
前記視聴制御手段は、前記視聴環境制御情報に基づき無線通信により視聴環境機器を制御することを特徴とする請求項１に記載の情報再生装置。
【請求項６】
前記解析手段は、前記コンテンツデータに含まれたメタデータ中のコンテンツに関する情報を解析し、解析結果に基づき視聴環境制御情報を生成し、
前記視聴制御手段は、前記視聴環境制御情報に基づき前記コンテンツの表示出力及び音声出力のうちの少なくとも一方を制御することを特徴とする請求項１に記載の情報再生装置。
【請求項７】
前記解析手段は、前記コンテンツデータに含まれたメタデータ中のコンテンツに関する情報を解析し、解析結果に基づき視聴環境制御情報を生成し、
前記視聴制御手段は、前記視聴環境制御情報に基づき無線通信により視聴環境機器を制御することを特徴とする請求項１に記載の情報再生装置。
【請求項８】
前記解析手段は、前記コンテンツデータに含まれた映像データ中の文字解析、前記コンテンツデータに含まれた音声データ中のガイド音声解析、及び前記コンテンツデータに含まれたメタデータ中のコンテンツに関する情報解析のうちの少なくとも一つの解析により視聴環境制御情報を生成し、
前記視聴制御手段は、前記メタデータ中のコンテンツに関する情報解析により生成された視聴環境制御情報に基づく視聴環境制御を優先することを特徴とする請求項１に記載の情報再生装置。
【請求項９】
前記解析手段が、前記コンテンツデータに含まれたメタデータ中のコンテンツに関する情報解析による視聴環境制御情報の生成が可能な場合、前記視聴制御手段は、前記メタデータ中のコンテンツに関する情報解析により生成された視聴環境制御情報に基づき視聴環境を制御し、
前記解析手段が、前記コンテンツデータに含まれた前記メタデータ中のコンテンツに関する情報解析による視聴環境制御情報の生成が不能な場合、前記コンテンツデータに含まれた映像データ中の文字解析及び前記コンテンツデータに含まれた音声データ中のガイド音声解析の少なくとも一方の解析により視聴環境制御情報を生成し、前記視聴制御手段は、前記映像データ及び前記音声データの少なくとも一方から生成された視聴環境制御情報に基づき視聴環境を制御することを特徴とする請求項１に記載の情報再生装置。
【請求項１０】
前記解析手段が、前記コンテンツデータに含まれたメタデータ中のコンテンツに関する情報解析による視聴環境制御情報の生成が可能な場合、前記視聴制御手段は、前記メタデータ中のコンテンツに関する情報解析により生成された視聴環境制御情報に基づき視聴環境を制御し、
前記解析手段が、前記コンテンツデータに含まれた前記メタデータ中のコンテンツに関する情報解析による視聴環境制御情報の生成が不能な場合、前記コンテンツデータに含まれた映像データ中の文字解析及び前記コンテンツデータに含まれた音声データ中のガイド音声解析の少なくとも一方の解析により視聴環境制御情報を生成し、前記視聴制御手段は、生成された視聴環境制御情報に基づく視聴環境制御内容を案内し、生成された視聴環境制御情報に基づき視聴環境を制御することを特徴とする請求項１に記載の情報再生装置。
【発明の詳細な説明】
【技術分野】
【０００１】
本発明は、放送信号により提供されるコンテンツ、及びＤＶＤなどの情報記憶媒体に記憶されたコンテンツを再生する情報再生技術に関する。
【背景技術】
【０００２】
近年、映像再生機器による快適な視聴環境を提供するための技術開発が盛んになっている。例えば、鑑賞者がディスプレイの表示部を鑑賞している時に不快なまぶしさを受けずに快適に鑑賞することができるディスプレイを提供する技術が提案されている（特許文献１参照）。具体的には、ディスプレイが、表示部と、前記表示部が取り付けられた筐体と、表示部の表示面と異なった筐体の面に配置された光センサと、光センサの信号から表示部の輝度を制御する制御回路とを備える。
【特許文献１】特開２００６−２６７７８９
【発明の開示】
【発明が解決しようとする課題】
【０００３】
しかしながら、上記技術では、再生対象となるコンテンツに応じた輝度制御はできない。また、輝度だけでなく、視聴には出力音声及び室内照明等の様々な要素が影響するが、上記技術では、これらについて言及されていない。
【０００４】
本発明の目的は、コンテンツに応じた適切な視聴環境下でコンテンツを再生する技術を提供することにある。
【課題を解決するための手段】
【０００５】
この発明の一実施形態に係る情報再生装置は、コンテンツデータを取得する取得手段と、前記コンテンツデータを解析し、解析結果に基づき視聴環境制御情報を生成する解析手段と、前記視聴環境制御情報に基づき視聴環境を制御する視聴制御手段と、前記視聴環境下で前記コンテンツデータの再生を制御する再生制御手段とを備える。
【発明の効果】
【０００６】
本発明によれば、コンテンツに応じた適切な視聴環境下でコンテンツを再生する技術を提供できる。
【発明を実施するための最良の形態】
【０００７】
以下、図面を参照し、本発明の実施形態について説明する。
【０００８】
図１は、本発明の一実施形態に係る情報再生装置の概略構成を示す図である。図１に示すように、情報再生装置１は、チューナー１１、外部入力部１２、データ再生部１３、映像制御部１４、音声制御部１５、無線通信制御部１６、像解析部１７、音声解析部１８、メタデータ解析部１９、表示部２０、音声再生部２１、無線通信送受信部２２、放送受信用アンテナ２３、無線通信用アンテナ２４、及び操作部２５を備える。
【０００９】
チューナー１１は、放送受信用アンテナ２３を介して受信した受信信号から、操作部２５を介して指示されたチャンネルの信号を選択し、選択したチャンネルの信号をデータ再生部１３へ供給する。データ再生部１３は、供給されたチャンネルの信号をデコードし、コンテンツデータを取得し、コンテンツデータに含まれる映像データを映像制御部１４及び映像解析部１７へ出力し、またコンテンツデータに含まれる音声データを音声制御部１５及び音声解析部１８へ出力し、さらにコンテンツデータに含まれるメタデータをメタデータ解析部１９へ出力する。
【００１０】
外部入力部１２は、ＤＶＤプレイヤーなどのビデオ再生装置と接続し、ビデオ再生装置からの信号を受け取り、受け取った信号をデータ再生部１３へ供給する。データ再生部１３は、供給された信号をデコードし、コンテンツデータを取得し、コンテンツデータに含まれる映像データを映像制御部１４及び映像解析部１７へ出力し、またコンテンツデータに含まれる音声データを音声制御部１５及び音声解析部１８へ出力し、さらにコンテンツデータに含まれるメタデータをメタデータ解析部１９へ出力する。
【００１１】
映像制御部１４は、後述する視聴環境制御情報に基づき映像データの輝度、明度、及び彩度を調整し、調整された映像データを液晶ディスプレイ等の表示部２０へ出力する。音声制御部１５は、後述する視聴環境制御情報に基づき音声データの音量及び音質を調整し、調整された音声データをスピーカなどの音声再生部２１へ出力する。無線通信制御部１６は、後述する視聴環境制御情報を無線通信送受信部２２へ送信する。無線通信送受信部２２は、無線通信用アンテナ２４を介して、視聴環境機器に対して視聴環境制御情報を送信する。例えば、無線通信送受信部２２及び無線通信用アンテナ２４は、Bluetooth(登録商標)対応であり、Bluetooth対応の視聴環境機器に対して視聴環境制御情報を送信する。
【００１２】
映像解析部１７は、映像データを解析し、映像データの解析結果に基づき視聴環境制御情報を生成し、この生成した視聴環境制御情報を映像制御部１４、音声制御部１５、及び無線通信制御部１６へ送信する。例えば、映像解析部１７は、映像データ中のガイド文字を検出し、検出したガイド文字を解析し、コンテンツプロバイダーが要求する視聴環境へ制御するための視聴環境制御情報を生成する。
【００１３】
音声解析部１８は、音声データを解析し、音声データの解析結果に基づき視聴環境制御信号を生成し、この生成した視聴環境制御信号を映像制御部１４、音声制御部１５、及び無線通信制御部１６へ送信する。例えば、音声解析部１８は、音声データ中のガイド音声を検出し、検出したガイド音声を解析し、コンテンツプロバイダーが要求する視聴環境へ制御するための視聴環境制御信号を生成する。
【００１４】
メタデータ解析部１９は、メタデータを解析し、メタデータの解析結果に基づき視聴環境制御情報を生成し、この生成した視聴環境制御情報を映像制御部１４、音声制御部１５、及び無線通信制御部１６へ送信する。例えば、メタデータ解析部１９は、メタデータ中の制御コードに基づき、コンテンツプロバイダーが要求する視聴環境へ制御するための視聴環境制御情報を生成する。
【００１５】
続いて、映像解析部１７による映像及び音声の再生制御について説明する。データ再生部１３で取得された映像データは、映像解析部１７へ送られる。映像解析部１７は、映像データを解析し、視聴環境情報を検出する。例えば、映像データ中に含まれるテロップを検出し、テロップに含まれた内容を解析する。映像解析部１７は、視聴環境情報に相当するテロップを検出したら、テロップに含まれた視聴環境情報に応じた視聴環境制御情報を生成し、視聴環境制御情報を映像制御部１４、音声制御部１５、及び無線通信制御部１６へ送信する。
【００１６】
例えば、映像解析部１７が、「画面の明るさを下げて視聴してください」という内容をテロップ中から検出した場合は、画面の輝度や明度を下げる視聴環境制御情報を生成し映像制御部１４へ送信する。映像制御部１４は、視聴環境制御情報に基づき、映像データの輝度を下げ、映像表示部２０で映像データを再生する。
【００１７】
また、映像解析部１７が、「音量を下げてください」という内容をテロップ中から検出した場合は、音量を下げる視聴環境制御情報を生成し音声制御部１５へ送信する。音声制御部１５は、視聴環境制御情報に基づき、音声データの音量を下げ、音声再生部２１で音声データを再生する。
【００１８】
また、映像解析部１７が、「部屋を明るくして視聴してください」という内容をテロップ中から検出した場合は、照明を明るくする視聴環境制御情報を生成し無線通信制御部１６へ送信する。無線通信制御部１６は、無線通信送受信部２２及び無線通信用アンテナ２４を介して照明を明るくする視聴環境制御情報を送信する。
【００１９】
図２は、情報再生装置１からの無線通信により制御される照明装置２の一例を示す図である。照明装置２は、操作部３１、無線通信送受信部３２、照度制御部３３、光源３４、及び無線通信用アンテナ３５を備えている。
【００２０】
操作部３１は、使用者からの照明の明るさを変更するための変更指示を受け付け、受け付けた変更指示を照度制御部３３へ送信する。照度制御部３３は、変更指示に基づき、光源３４の照度を制御する。また、無線通信用アンテナ３５は、情報再生装置１の無線通信用アンテナ２４から送信された視聴環境制御制情報を受信し、無線通信送受信部３２へ送信する。無線通信送受信部３２は、視聴環境制御情報を照度制御部３３へ送信し、照度制御部３３は、視聴環境制御情報に基づき光源３４の照度を制御する。
【００２１】
例えば、情報再生装置１の映像解析部１７が、「部屋を明るくして視聴してください」という内容をテロップ中から検出した場合は、無線通信制御部１６は、視聴中の部屋の照明を上げるために、照明装置２に対して無線通信の接続を要求する。つまり、無線通信制御部１６は、無線通信送受信部２２及び無線通信用アンテナ２４を介して、照明装置２に対して接続要求信号を送信する。照明装置２は、無線通信用アンテナ３５及び無線通信制御部３２により接続要求信号を受信すると、情報再生装置１と照明装置２との間の無線通信接続が確立する。さらに、情報再生装置１の無線通信送受信部２２により変調された部屋の照明の照度を上げるための視聴環境制御情報が、無線通信用アンテナ２４を介して送信される。照明装置２の無線通信用アンテナ３５及び無線通信送受信部３２は、情報再生装置１からの視聴環境制御情報を受信し、照度制御部３３は、受信した視聴環境制御情報に基づき光源３４の照度を制御する。即ち、照度制御部３３は、受信した視聴環境制御情報に基づき光源３４の照度を上げる。
【００２２】
以上の手順により、情報再生装置１により再生されるコンテンツに含まれる映像データにより、映像及び音声の再生状況を制御したり、周囲の視聴環境を制御したりすることが可能となる。
【００２３】
続いて、音声解析部１８による映像及び音声の再生制御について説明する。データ再生部１３で取得された音声データは、音声解析部１８へ送られる。音声解析部１８は、音声データを解析し、視聴環境情報を検出する。例えば、音声データ中に含まれるアナウンスの内容を解析し、視聴環境情報に相当するアナウンスを検出する。音声解析部１８は、検出したアナウンスの内容に応じた視聴環境制御情報を、映像制御部１４、音声制御部１５、無線通信制御部１６へ送信する。
【００２４】
例えば、音声解析部１８が、「画面の明るさを下げて視聴してください」という内容のアナウンスを音声データ中から検出した場合は、画面の輝度や明度を下げる視聴環境制御情報を生成し映像制御部１４へ送信する。映像制御部１４は、視聴環境制御情報に基づき、映像データの輝度を下げ、映像表示部２０で映像データを再生する。
【００２５】
また、音声解析部１８が、「音量を下げてください」という内容のアナウンスを音声データ中から検出した場合は、音量を下げる視聴環境制御情報を音声制御部１５へ送信する。音声制御部１５は、視聴環境制御情報に基づき、音声データの音量を下げ、音声再生部２１で音声データを再生する。
【００２６】
また、音声解析部１８が、「部屋を明るくして視聴してください」という内容のアナウンスを音声データ中から検出した場合は、無線通信制御部１６は、視聴中の部屋の照明を上げるために、照明装置２に対して無線通信の接続を要求する。つまり、無線通信制御部１６は、無線通信送受信部２２及び無線通信用アンテナ２４を介して、照明装置２に対して接続要求信号を送信する。照明装置２は、無線通信用アンテナ３５及び無線通信制御部３２により接続要求信号を受信すると、情報再生装置１と照明装置２との間の無線通信接続が確立する。さらに、情報再生装置１の無線通信送受信部２２により変調された部屋の照明の照度を上げるための視聴環境制御情報が、無線通信用アンテナ２４を介して送信される。照明装置２の無線通信用アンテナ３５及び無線通信送受信部３２は、情報再生装置１からの視聴環境制御情報を受信し、照度制御部３３は、受信した視聴環境制御情報に基づき光源３４の照度を制御する。即ち、照度制御部３３は、受信した視聴環境制御情報に基づき光源３４の照度を上げる。
【００２７】
以上の手順により、情報再生装置１により再生されるコンテンツに含まれる音声データにより、映像や音声の再生状況を制御したり、周囲の視聴環境を制御したりすることが可能となる。
【００２８】
続いて、メタデータ解析部１９による映像及び音声の再生制御について説明する。データ再生部１３で取得されたコンテンツデータには、映像データ及び音声データの他に、コンテンツに関するメタデータが含まれていることがある。このメタデータには、そのコンテンツの内容、ジャンル、音声データフォーマットなどの情報が含まれている。メタデータ解析部１９は、メタデータを解析し、視聴環境情報を検出する。例えば、コンテンツデータが、５．１チャンネルの音声データをサポートしており、情報再生装置１が５．１チャンネルの音声データ再生環境を備えていない場合、情報再生装置１だけでは、５．１チャンネルの音声を再生することはできない。そこで、図３に示すような無線通信機能を備えた外部スピーカ３（例えば６台の外部スピーカ３）により、５．１チャンネルの音声を再生する。即ち、情報再生装置１は、外部スピーカ３（例えば６台の外部スピーカ３）を制御し、５．１チャンネルの音声を再生する。図３に示す外部スピーカ３は、無線通信送受信部４１、音声信号再生部４２、音声再生部４３、無線通信用アンテナ４４を備えている。
【００２９】
メタデータ解析部１９が、５．１チャンネルの音声データフォーマットを検出した場合は、無線通信制御部１６は、５．１チャンネルの音声データの再生のために、外部スピーカ３に対して無線通信の接続を要求する。つまり、無線通信制御部１６は、無線通信送受信部２２及び無線通信用アンテナ２４を介して、外部スピーカ３に対して接続要求信号を送信する。外部スピーカ３は、無線通信用アンテナ４４及び無線通信制御部４１により接続要求信号を受信すると、情報再生装置１と外部スピーカ３との間の無線通信接続が確立する。さらに、情報再生装置１の無線通信送受信部２２により変調された音声データが、無線通信用アンテナ２４を介して送信される。外部スピーカ３の無線通信用アンテナ４４及び無線通信送受信部４１は、情報再生装置１からの音声データを受信し、音声信号再生部４２は受信した音声データをデコードし、音声再生部４３は、デコードされた音声データを再生する。これを必要な数だけの外部スピーカ３（５．１チャンネルの場合は６台）に対して行う。これにより、５．１チャンネルで音声データを再生することが可能となる。
【００３０】
或いは、メタデータ解析部１９が、メタデータ中から、画面の明るさを下げて視聴する旨の制御コードを検出したり、或いはメタデータ中のコンテンツの内容又はジャンルから、画面の明るさを下げて視聴するのが適当と判断した場合は、画面の輝度や明度を下げる視聴環境制御情報を映像制御部１４へ送信する。映像制御部１４は、視聴環境制御情報に基づき、映像データの輝度を下げ、映像表示部２０で映像データを再生する。
【００３１】
また、メタデータ解析部１９が、メタデータ中から、音量を下げる旨の制御コードを検出したり、或いは、メタデータ中のコンテンツの内容又はジャンルから、音量を下げて視聴するのが適当と判断した場合は、音量を下げる視聴環境制御情報を音声制御部１５へ送信する。音声制御部１５は、視聴環境制御情報に基づき、音声データの音量を下げ、音声再生部２１で音声データを再生する。
【００３２】
また、メタデータ解析部１９が、メタデータ中から、部屋を明るくして視聴する旨の制御コードを検出した場合したり、或いは、メタデータ中のコンテンツの内容又はジャンルから、部屋を明るくして視聴するのが適当と判断した場合は、無線通信制御部１６は、視聴中の部屋の照明を上げるために、照明装置２に対して無線通信の接続を要求する。つまり、無線通信制御部１６は、無線通信送受信部２２及び無線通信用アンテナ２４を介して、照明装置２に対して接続要求信号を送信する。照明装置２は、無線通信用アンテナ３５及び無線通信制御部３２により接続要求信号を受信すると、情報再生装置１と照明装置２との間の無線通信接続が確立する。さらに、情報再生装置１の無線通信送受信部２２により変調された部屋の照明の照度を上げるための視聴環境制御情報が、無線通信用アンテナ２４を介して送信される。照明装置２の無線通信用アンテナ３５及び無線通信送受信部３２は、情報再生装置１からの視聴環境制御情報を受信し、照度制御部３３は、受信した視聴環境制御情報に基づき光源３４の照度を制御する。即ち、照度制御部３３は、受信した視聴環境制御情報に基づき光源３４の照度を上げる。
【００３３】
以上の手順により、情報再生装置１により再生されるコンテンツに含まれるメタデータにより、映像及び音声の再生状況を制御したり、周囲の視聴環境を制御したりすることが可能となる。
【００３４】
本実施形態によれば、情報再生装置により再生されるコンテンツに含まれる映像、音声、メタデータなどの情報から、表示部２０により再生される映像の輝度及び音声再生部２１により再生される音声の音量を制御することができ、さらに、外部の照明装置２の照度、外部のスピーカ３による音声再生方法を制御することができ、コンテンツに応じた最適な視聴環境を提供することができる。
【００３５】
続いて、図４に示すフローチャートを参照し、メタデータに基づく優先制御について説明する。
【００３６】
情報再生装置１がコンテンツデータを取得すると（ＳＴ１、ＹＥＳ）、メタデータ解析部１９がコンテンツデータに含まれるメタデータを解析する（ＳＴ２）。メタデータ解析部１９が、メタデータの解析により上記した制御コード等を検出し、視聴環境制御が可能と判断すれば（ＳＴ３、ＹＥＳ）、メタデータの解析に基づく視聴環境制御情報を生成し、視聴環境制御情報を映像制御部１４、音声制御部１５、及び無線通信制御部１６へ送信する。映像制御部１４、音声制御部１５、及び無線通信制御部１６は、視聴環境制御情報に基づき、表示部２０、音声再生部２１、照明装置２、外部スピーカ３などを制御し、適切な視聴環境に調整する（ＳＴ４）。データ再生部１３は、調整された視聴環境下でコンテンツデータを再生する（ＳＴ５）。情報再生装置１が停止されるまで、処理は継続される（ＳＴ６）。
【００３７】
一方で、メタデータ解析部１９が、メタデータの解析により視聴環境制御が不能と判断すれば（ＳＴ３、ＮＯ）、或いはコンテンツデータにメタデータが含まれていない場合には（ＳＴ３、ＮＯ）、映像解析部１７及び音声解析部１８が、視聴環境情報を検出し、検出した視聴環境情報を解析する（ＳＴ７）。
【００３８】
例えば、映像解析部１７が、「画面の明るさを下げて視聴してください」という内容をテロップ中から検出した場合は（ＳＴ８、ＹＥＳ）、映像制御部１４は、「画面の明るさを自動的に下げる旨の案内、自動制御拒否の項目」を表示部２０へ表示する（ＳＴ９）。また、映像解析部１７が、「音量を下げてください」という内容をテロップ中から検出した場合は（ＳＴ８、ＹＥＳ）、映像制御部１４は、「音量を自動的に下げる旨の案内、自動制御拒否の項目」を表示部２０へ表示する（ＳＴ９）。また、映像解析部１７が、「部屋を明るくして視聴してください」という内容をテロップ中から検出した場合は（ＳＴ８、ＹＥＳ）、映像制御部１４は、「部屋の照明を自動的に明るくする旨の案内、自動制御拒否の項目」を表示部２０へ表示する（ＳＴ９）。また、音声解析部１８が、「画面の明るさを下げて視聴してください」という内容のアナウンスを音声データ中から検出した場合は（ＳＴ８、ＹＥＳ）、映像制御部１５は、「画面の明るさを自動的に下げる旨の案内、自動制御拒否の項目」を表示部２０へ表示する（ＳＴ９）。また、音声解析部１８が、「音量を下げてください」という内容のアナウンスを音声データ中から検出した場合は（ＳＴ８、ＹＥＳ）、映像制御部１４は、「音量を自動的に下げる旨の案内、自動制御拒否の項目」を表示部２０へ表示する（ＳＴ９）。また、音声解析部１８が、「部屋を明るくして視聴してください」という内容のアナウンスを音声データ中から検出した場合は（ＳＴ８、ＹＥＳ）、映像制御部１４は、「部屋の照明を自動的に明るくする旨の案内、自動制御拒否の項目」を表示部２０へ表示する（ＳＴ９）。
【００３９】
所定時間内に（ＳＴ１０、ＮＯ）、情報再生装置１の操作部２５を介して、「自動制御拒否の項目」の選択が指示されると（ＳＴ１１、ＹＥＳ）、視聴環境は自動制御されることなく、データ再生部１３は、コンテンツデータを再生する（ＳＴ５）。
【００４０】
「自動制御拒否の項目」が選択されることなく、所定時間が経過すると（ＳＴ１０、ＹＥＳ）、映像制御部１４、音声制御部１５、及び無線通信制御部１６は、生成された視聴環境制御情報に基づき、表示部２０、音声再生部２１、照明装置２、外部スピーカ３などを制御し、適切な視聴環境に調整する（ＳＴ４）。データ再生部１３は、調整された視聴環境下でコンテンツデータを再生する（ＳＴ５）。情報再生装置１が停止されるまで、処理は継続される（ＳＴ６）。
【００４１】
上記したようにメタデータに基づく優先制御により、例えば、映像解析部１７及び音声解析部１８による映像解析及び音声解析の信頼性が低い場合であっても、メタデータ解析部１９によりメタデータ解析結果を利用することにより、比較的信頼性の高い視聴環境制御を可能にすることができる。これは、比較的安価な映像解析回路及び音声解析回路により映像解析部１７及び音声解析部１８を構成した場合（情報再生装置１のコスト低減を図った場合）に、ある程度の信頼性を維持することができ、コスト低減と信頼性維持の両立を図ることができ、効果的である。
【００４２】
なお、上記説明では、照明装置２、外部スピーカ３を挙げて、外部装置の制御について説明したが、本発明はこれだけに限定されるものではない。例えば、情報再生装置１によるコンテンツの再生においてノイズ源となる外部装置を制御し（例えばノイズ源となる外部装置を停止し）、コンテンツ再生時におけるノイズの発生を抑えるようにすることもできる。
【００４３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４４】
【図１】本発明の一実施形態に係る情報再生装置の概略構成を示す図である。
【図２】情報再生装置からの無線通信により制御される照明装置の一例を示す図である。
【図３】情報再生装置からの無線通信により制御される外部スピーカの一例を示す図である。
【図４】メタデータに基づく優先制御の一例を示すフローチャートである。
【符号の説明】
【００４５】
１…情報再生装置、２…照明装置、３…外部スピーカ、１１…チューナー、１２…外部入力部、１３…データ再生部、１４…映像制御部、１５…音声制御部、１６…無線通信制御部、１７…映像解析部、１８…音声解析部、１９…メタデータ解析部、２０…表示部、２１…音声再生部、２２…無線通信送受信部、２３…放送受信用アンテナ、２４…無線通信用アンテナ、２５…操作部、３１…操作部、３２…無線通信送受信部、３３…照度制御部、３４…光源、３５…無線通信用アンテナ、４１…無線通信送受信部、４２…音声信号再生部、４３…音声再生部、４４…無線通信用アンテナ
【図１】
2009111499.tif 000003
【図２】
2009111499.tif 000004
【図３】
2009111499.tif 000005
【図４】
2009111499.tif 000006